(57)【要約】      （修正有）【課題】設置時やメンテナンス時の作業性を向上した監視カメラを提供する。【解決手段】監視カメラ１は、カメラ設置面に固定される土台部材２と、土台部材２に固定される取付け部材３と、取付け部材３に固定されるカメラ本体４とを備える。土台部材２の外周部には、カメラ本体４に接続されるケーブルを収納するための収納スペース１３が設けられ、収納スペース１３の外側には、収納スペース１３を覆うためのカバー部材５が取り付けられる。カバー部材５は、収納スペース１３に収納されたケーブルを覆うカバー位置と、収納スペース１３に収納されたケーブルを露出する露出位置との間で、スライド可能である。【選択図】図１
2010185909.tif 000002
【特許請求の範囲】
【請求項１】
カメラ設置面に固定される土台部材と、前記土台部材に固定される取付け部材と、前記取付け部材に固定されるカメラ本体と、を備えた監視カメラにおいて、
前記土台部材の外周部には、前記カメラ本体に接続されるケーブルを収納するための収納スペースが設けられ、前記収納スペースの外側には、前記収納スペースを覆うためのカバー部材が取り付けられ、
前記カバー部材は、前記収納スペースに収納された前記ケーブルを覆うカバー位置と、前記収納スペースに収納された前記ケーブルを露出する露出位置との間で、移動可能であることを特徴とする監視カメラ。
【請求項２】
前記土台部材は、前記収納スペースに収納される前記ケーブルを係止するためのガイド係止部を備えたことを特徴とする請求項１に記載の監視カメラ。
【請求項３】
前記カバー部材は、前記露出位置に移動させたときに前記土台部材または前記カメラ本体に係合する外れ止め係合部を備えたことを特徴とする請求項１または請求項２に記載の監視カメラ。
【請求項４】
カメラ設置面に土台部材を固定し、
前記土台部材に取付け部材を固定し、
前記取付け部材にカメラ本体を固定し、
前記カメラ本体にケーブルを接続し、
前記カメラ本体に接続したケーブルを、前記土台部材の外周部に設けられた収納スペースに収納し、
前記収納スペースの外側にカバー部材を取り付けて、前記収納スペースに収納された前記ケーブルを前記カバー部材で覆うことを特徴とする監視カメラの取付け方法。
【発明の詳細な説明】
【技術分野】
【０００１】
本発明は、設置時やメンテナンス時の作業性を向上した監視カメラに関するものである。
【背景技術】
【０００２】
従来、防犯警報システムなどに用いられる監視カメラとして、壁や天井などのカメラ設置面に取り付けられる取付ベースと、取付ベースに取り付けられるカメラ本体から構成される監視カメラが知られている（例えば特許文献１参照）。
【０００３】
このような監視カメラを設置する場合には、まず、カメラ設置面に取付ベースを取り付けた後、カメラ本体にケーブルを接続する作業を行う。そして、カメラ本体に接続したケーブルを取付ベースの内側のスペースに収納するとともに、カメラ本体を取付ベースに取り付ける作業を行う。
【特許文献１】特開平７−１６２７２３号公報
【発明の開示】
【発明が解決しようとする課題】
【０００４】
しかしながら、従来の監視カメラでは、設置時にケーブルの接続作業を行うときには、カメラ本体を片手で保持しながら作業をする必要があり、監視カメラの設置時の作業性が低いという問題があった。また、カメラ本体を取付ベースに取り付ける作業を行うときには、接続されたケーブルが邪魔になり、取付け作業がしにくくなるという問題があった。また、従来の監視カメラでは、メンテナンス作業を行うときには、カメラ本体を取付ベースから取り外す必要があり、メンテナンス終了後には、再度、ケーブルを取付ベース内のスペースに収納するとともに、カメラ本体を取付ベースに取り付ける作業を行う必要があり、監視カメラのメンテナンス時の作業性が低いという問題があった。
【０００５】
このような監視カメラは、高所に設置されることが多い。したがって、特に、高所に監視カメラを設置する場合に、片手での作業が強いられるのは作業者にとって非常に酷である。また、屋外に設置される監視カメラでは、ケーブルの接続をするときに防水処理（防水テープを巻きつけるなどの処理）を施す必要があり、片手での作業は非常に困難である。さらに、このような監視カメラは、定期的なメンテナンスを必要とすることが多い。したがって、メンテナンス時の作業性が低いことは、作業者にとって大きな負担となる。そのため、監視カメラの設置作業やメンテナンス作業の作業者からは、設置作業やメンテナンス作業の作業性の高い監視カメラの開発が強く望まれていた。
【０００６】
本発明は、上記従来の問題を解決するためになされたもので、設置時やメンテナンス時の作業性を向上した監視カメラを提供することを目的とする。
【課題を解決するための手段】
【０００７】
本発明の監視カメラは、カメラ設置面に固定される土台部材と、前記土台部材に固定される取付け部材と、前記取付け部材に固定されるカメラ本体と、を備えた監視カメラにおいて、前記土台部材の外周部には、前記カメラ本体に接続されるケーブルを収納するための収納スペースが設けられ、前記収納スペースの外側には、前記収納スペースを覆うためのカバー部材が取り付けられ、前記カバー部材は、前記収納スペースに収納された前記ケーブルを覆うカバー位置と、前記収納スペースに収納された前記ケーブルを露出する露出位置との間で、移動可能である構成を有している。
【０００８】
この構成により、監視カメラの設置作業時には、まず、カメラ設置面に土台部材を固定し、土台部材に取付け部材を固定して、取付け部材にカメラ本体を固定する。そして、カメラ本体が固定された状態で、カメラ本体にケーブルを接続して、ケーブルを土台部材の収納スペースに収納する。このように、両手を自由に使える状態でケーブルの接続作業や収納作業を行うことができるので、片手しか使えないような場合に比べて、監視カメラの設置時の作業性が向上する。そして最後に、土台部材にカバー部材を取り付けて、カバー部材をカバー位置まで移動させる。このように、ケーブルをカバー部材で覆うことにより、ケーブルを外部から保護することができる。一方、監視カメラのメンテナンス作業時には、カバー部材を露出位置まで移動させるだけで、ケーブルが露出した状態になり、メンテナンス作業を容易に行うことができる。これにより、監視カメラのメンテナンス時の作業性が向上する。
【０００９】
また、本発明の監視カメラでは、前記土台部材は、前記収納スペースに収納される前記ケーブルを係止するためのガイド係止部を備えた構成を有している。
【００１０】
この構成により、土台部材の収納スペースにケーブルを収納する作業を行うときには、土台部材のガイド係止部にケーブルを引っ掛ける。ガイド係止部に引っ掛けられたケーブルは、収納スペースからはみ出さないように保持されるようになる。これにより、監視カメラの設置作業を行うときに、ケーブルが作業の邪魔になることが防がれる。したがって、監視カメラの設置時の作業性がさらに向上する。
【００１１】
また、本発明の監視カメラでは、前記カバー部材は、前記露出位置に移動させたときに前記土台部材または前記カメラ本体に係合する外れ止め係合部を備えた構成を有している。
【００１２】
この構成により、監視カメラのメンテナンス作業時に、カバー部材を露出位置に移動させると、カバー部材の外れ止め係合部が土台部材またはカメラ本体に係合する。このようにして、作業中にカバー部材が外れることが防止されるので、両手を自由に使える状態でメンテナンス作業を行うことができる。したがって、監視カメラのメンテナンス時の作業性がさらに向上する。
【００１３】
本発明の監視カメラの取付け方法は、カメラ設置面に土台部材を固定し、前記土台部材に取付け部材を固定し、前記取付け部材にカメラ本体を固定し、前記カメラ本体にケーブルを接続し、前記カメラ本体に接続したケーブルを、前記土台部材の外周部に設けられた収納スペースに収納し、前記収納スペースの外側にカバー部材を取り付けて、前記収納スペースに収納された前記ケーブルを前記カバー部材で覆う。
【００１４】
この方法により、監視カメラの設置作業時には、まず、カメラ設置面に土台部材を固定し、土台部材に取付け部材を固定して、取付け部材にカメラ本体を固定する。そして、カメラ本体が固定された状態で、カメラ本体にケーブルを接続して、ケーブルを土台部材の収納スペースに収納する。このように、両手を自由に使える状態でケーブルの接続作業や収納作業を行うことができるので、片手しか使えないような場合に比べて、監視カメラの設置時の作業性が向上する。そして最後に、土台部材にカバー部材を取り付けて、カバー部材をカバー位置まで移動させる。このように、ケーブルをカバー部材で覆うことにより、ケーブルを外部から保護することができる。
【発明の効果】
【００１５】
本発明は、ケーブルの収納スペースを土台部材の外周部に設け、その収納スペースの外側にカバー位置と露出位置との間で移動可能なカバー部材を設けることにより、設置時やメンテナンス時の作業性が向上するという効果を有する監視カメラを提供することができるものである。
【発明を実施するための最良の形態】
【００１６】
以下、本発明の実施の形態の監視カメラについて、図面を用いて説明する。本実施の形態では、施設や建物の監視システム等に用いられる監視カメラの場合を例示する。
【００１７】
まず、本実施の形態の監視カメラの構成を、図面を参照して説明する。図１は、監視カメラの分解斜視図である。図１に示すように、監視カメラ１は、壁や天井などのカメラ設置面（図１では、図示せず）に固定される金属製の土台部材２と、この土台部材２に固定される金属製の取付け部材３と、この取付け部材３に固定されるカメラ本体４を備えている。また、土台部材２には、カバー部材５が取り付けられる。
【００１８】
土台部材２は、板状のベース部６と、ベース部６から突設されている突出部７を備えている。ベース部６には、４つのネジ挿通孔８が設けられており、これらのネジ挿通孔８に固定用のネジ９を通して、土台部材２がカメラ設置面にネジ止めされる（図２参照）。また、このベース部６には、カメラ本体４に接続されるケーブル１０を挿通するためのケーブル挿通孔１１が設けられている（図２および図３参照）。さらに、ベース部６には、カバー部材５を取り付けるための２つのネジ穴１２が設けられている。
【００１９】
土台部材２の突出部７の外周部分は、ケーブル１０を収納するための収納スペース１３とされている。そして、突出部７の先端部は鉤状に屈曲しており、収納スペース１３に収納されるケーブル１０を係止するためのガイド係止部１４が形成されている（図３参照）。また、突出部７の端面には、取付け部材３をネジ止めするためのネジ穴１５が形成されている（図４参照）。
【００２０】
取付け部材３には、４つのネジ挿通孔１６が設けられており、このネジ挿通孔１６に固定用のネジ１７を通して、取付け部材３が土台部材２にネジ止めされる（図４参照）。また、この取付け部材３には、カメラ本体４を取り付けるための３つの取付け穴１８が形成されている。この取付け穴１８は、大径部分と小径部分から構成されている。大径部分の大きさは、カメラ本体４の裏面の取付けネジ１９の頭部の径より大きく設定されており、小径部分の大きさは、取付けネジ１９の頭部の径より小さく設定されている。つまり、取付けネジ１９を取付け穴１８の大径部分に差し込んだ後、カメラ本体４を回転させて、取付けネジ１９を小径部分に位置させると、取付けネジ１９が取付け穴１８から抜けなくなるように構成されている（図７および図８参照）。
【００２１】
カバー部材５は、収納スペース１３の外側に嵌め込まれ、土台部材２のベース部６のネジ穴１２にネジ止めされる（図１２参照）。このようにして土台部材２に取り付けられたカバー部材５は、収納スペース１３を覆うように構成されている（図１３および図１４参照）。このカバー部材５をスライドさせると、収納スペース１３に収納されたケーブル１０を覆うカバー位置（図１３および図１４参照）と、収納スペース１３に収納されたケーブル１０を露出する露出位置（図１２参照）との間で移動する。つまり、カバー部材５は、カバー位置と露出位置との間でスライド可能であるともいえる。
【００２２】
以上のように構成された監視カメラ１を設置するときの手順を、図面を参照しながら説明する。
【００２３】
本実施の形態の監視カメラ１を設置するときには、まず、壁や天井などのカメラ設置面に土台部材２を固定する。この場合、土台部材２のベース部６のネジ挿通孔８にネジ９を通して、土台部材２をカメラ設置面にネジ止めする（図２および図３参照）。このとき、カメラ設置面側から延びるケーブル１０は、土台部材２のベース部６のケーブル挿通孔１１に挿通し、土台部材２の突出部７のガイド係止部１４に引っ掛けて、土台部材２の収納スペース１３に収納しておく（図３参照）。
【００２４】
つぎに、土台部材２に取付け部材３を固定する。この場合、取付け部材３のネジ挿通孔１６にネジ１７を通して、取付け部材３を土台部材２の端面のネジ穴１５にネジ止めする（図４および図５参照）。
【００２５】
つづいて、取付け部材３にカメラ本体４を固定する。この場合には、まず、カメラ本体４の裏面の取付けネジ１９を、取付け部材３の取付け穴１８の大径部分に差し込み、その後、カメラ本体４を回転させて、取付けネジ１９を小径部分に位置させる（図６〜図８参照）。このようにして、カメラ本体４が取付け部材３に固定される。
【００２６】
そして、このようにカメラ本体４の固定が完了した後、カメラ本体４に接続されているケーブル１０と、カメラ設置面側から延びるケーブル１０とを接続する（図９参照）。屋外に設置される監視カメラ１の場合には、ケーブル１０の接続をするときに防水処理（防水テープを巻きつけるなどの処理）を施す。このようにして接続したケーブル１０は、土台部材２の突出部７のガイド係止部１４に引っ掛けて、土台部材２の収納スペース１３に収納しておく（図１０および図１１参照）。
【００２７】
最後に、収納スペース１３の外側にカバー部材５を嵌め込む。この場合、カバー部材５を土台部材２のベース部６のネジ穴１２にネジ止めする（図１２参照）。このようにしてカバー部材５を取り付けると、収納スペース１３に収納されたケーブル１０はカバー部材５で覆われるようになる（図１３および図１４参照）。なお、このとき、カバー部材５は、カバー位置に移動した状態であるともいえる。このようにして、監視カメラ１の設置作業が完了する。
【００２８】
つぎに、監視カメラ１のメンテナンス作業をするときの手順を説明する。
【００２９】
監視カメラ１のメンテナンス作業をするときには、カバー部材５のネジを緩めて、カバー部材５を取り外す。そうすると、収納スペース１３に収納されたケーブル１０が露出するようになる。このとき、カバー部材５は、露出位置に移動した状態であるともいえる。この状態で、ケーブル１０の接続状態の確認などのメンテナンス作業を行う。
【００３０】
メンテナンス作業が終了すると、収納スペース１３の外側にカバー部材５を嵌め込んで、カバー部材５を土台部材２のベース部６のネジ穴１２にネジ止めする。つまり、カバー部材５を、露出位置からカバー位置に移動させる。このようにして、メンテナンス作業が完了する。
【００３１】
このような本実施の形態の監視カメラ１によれば、ケーブル１０の収納スペース１３を土台部材２の外周部に設け、その収納スペース１３の外側にカバー位置と露出位置との間でスライド可能なカバー部材５を設けることにより、設置時やメンテナンス時の作業性が向上することができる。
【００３２】
すなわち、本実施の形態では、監視カメラ１の設置作業時には、まず、カメラ設置面に土台部材２を固定し、土台部材２に取付け部材３を固定して、取付け部材３にカメラ本体４を固定する。そして、カメラ本体４が固定された状態で、カメラ本体４にケーブル１０を接続して、ケーブル１０を土台部材２の収納スペース１３に収納する。このように、両手を自由に使える状態でケーブル１０の接続作業や収納作業を行うことができるので、片手しか使えないような場合に比べて、監視カメラ１の設置時の作業性が向上する。そして最後に、土台部材２にカバー部材５を取り付けて、カバー部材５をカバー位置までスライドさせる。このように、ケーブル１０をカバー部材５で覆うことにより、ケーブル１０を外部から保護することができる。一方、監視カメラ１のメンテナンス作業時には、カバー部材５を露出位置までスライドさせるだけで、ケーブル１０が露出した状態になり、メンテナンス作業を容易に行うことができる。これにより、監視カメラ１のメンテナンス時の作業性が向上する。
【００３３】
また、本実施の形態では、土台部材２の収納スペース１３にケーブル１０を収納する作業を行うときには、土台部材２のガイド係止部１４にケーブル１０を引っ掛ける。ガイド係止部１４に引っ掛けられたケーブル１０は、収納スペース１３からはみ出さないように保持されるようになる。これにより、監視カメラ１の設置作業を行うときに、ケーブル１０が作業の邪魔になることが防がれる。したがって、監視カメラ１の設置時の作業性がさらに向上する。
【００３４】
本実施の形態の監視カメラでは、従来の監視カメラに比べて設置時の作業手順が増えることになるが、高所に設置される監視カメラの場合には、作業手順の増加によって作業時間が長くなる分に比べて、作業性が向上する（両手で作業を行うことができる）ことによって作業時間が短縮される効果のほうが大きい。すなわち、本実施の形態の監視カメラによれば、作業手順は増えるものの、結果的に作業時間は短縮されることになる。
【００３５】
以上、本発明の実施の形態を例示により説明したが、本発明の範囲はこれらに限定されるものではなく、請求項に記載された範囲内において目的に応じて変更・変形することが可能である。
【００３６】
例えば、以上の説明では、カバー部材５を露出位置に移動させたときに、カバー部材５が土台部材２やカメラ本体４から外れる構成について例示したが、本発明の範囲はこれに限定されるものではない。
【００３７】
図１５および図１６には、本発明の変形例が示される。この変形例では、カバー部材５を露出位置に移動させたときに、カバー部材５がカメラ本体４に係合するように構成されている。具体的には、図１５に示すように、カバー部材５の内周面に、二つの爪状の外れ止め係合部２０が設けられている。そして、図１６に示すように、カバー部材５を露出位置に移動させると、外れ止め係合部２０がカメラ本体４に引っ掛かり、カバー部材５がカメラ本体４から外れてしまうのが防止される。
【００３８】
このような変形例では、監視カメラ１のメンテナンス作業時に、カバー部材５を露出位置に移動させると、カバー部材５の外れ止め係合部２０がカメラ本体４に係合して、作業中にカバー部材５が外れることが防止される。したがって、両手を自由に使える状態でメンテナンス作業を行うことができ、監視カメラ１のメンテナンス時の作業性がさらに向上する。
【００３９】
また、ここでは特に図示しないが、カバー部材５を露出位置に移動させたときに、カバー部材５が土台部材２に係合するように構成してもよい。この場合にも、上記の変形例と同様の作用効果が得られる。つまり、監視カメラ１のメンテナンス作業時に、カバー部材５を露出位置に移動させると、カバー部材５の外れ止め係合部２０が土台部材２に係合して、作業中にカバー部材５が外れることが防止される。したがって、両手を自由に使える状態でメンテナンス作業を行うことができ、監視カメラ１のメンテナンス時の作業性がさらに向上する。
【産業上の利用可能性】
【００４０】
以上のように、本発明にかかる監視カメラは、設置時やメンテナンス時の作業性が向上することができるという効果を有し、施設や建物の監視システム等に用いられ、有用である。
【図面の簡単な説明】
【００４１】
【図１】本実施の形態における監視カメラの構成を説明するための分解斜視図
【図２】土台部材をカメラ設置面（図示せず）に固定する様子を示す斜視図
【図３】土台部材をカメラ設置面に固定する様子を示す断面図
【図４】取付け部材を土台部材に固定する様子を示す斜視図
【図５】取付け部材を土台部材に固定する様子を示す断面図
【図６】カメラ本体を取付け部材に取り付ける様子を示す斜視図
【図７】カメラ本体を取付け部材に固定する様子を示す側面図
【図８】カメラ本体を取付け部材に固定する様子を示す斜視図
【図９】ケーブルを接続する様子を示す斜視図
【図１０】ケーブルを接続した状態の監視カメラを示す斜視図
【図１１】ケーブルを接続した状態の監視カメラを示す断面図
【図１２】カバーを取り付ける様子を示す斜視図
【図１３】カバーを取り付けた状態の監視カメラを示す斜視図
【図１４】カバーを取り付けた状態の監視カメラを示す断面図
【図１５】変形例のカバーを取り付ける様子を示す斜視図
【図１６】変形例のカバーを取り付けた状態の監視カメラを示す断面図
【符号の説明】
【００４２】
１  監視カメラ
２  土台部材
３  取付け部材
４  カメラ本体
５  カバー部材
６  ベース部
７  突出部
１０  ケーブル
１１  ケーブル挿通孔
１２  ネジ穴
１３  収納スペース
１４  ガイド係止部
１５  ネジ穴
１８  取付け穴
１９  取付けネジ
２０  外れ止め係合部
【図１】
2010185909.tif 000003
【図２】
2010185909.tif 000004
【図３】
2010185909.tif 000005
【図４】
2010185909.tif 000006
【図５】
2010185909.tif 000007
【図６】
2010185909.tif 000008
【図７】
2010185909.tif 000009
【図８】
2010185909.tif 000010
【図９】
2010185909.tif 000011
【図１０】
2010185909.tif 000012
【図１１】
2010185909.tif 000013
【図１２】
2010185909.tif 000014
【図１３】
2010185909.tif 000015
【図１４】
2010185909.tif 000016
【図１５】
2010185909.tif 000017
【図１６】
2010185909.tif 000018